【事件の表示】
　特願２００１−３４２１０８「進物品申込票」拒絶査定不服審判事件〔平成１４年　８月　６日出願公開、特開２００２−２１９８８８〕について、次のとおり審決する。
【結　論】
　本件審判の請求は、成り立たない。
【理　由】
１　手続の経緯
　本願は、平成１２年５月２３日に出願した特願２０００−１５１８４３号の一部を平成１３年１１月７日に新たな特許出願としたものであって、 平成１６年４月３０日付で拒絶査定がなされ、これに対して、同年６月１０日に拒絶査定に対する審判請求がなされるとともに、同年７月９日受付の手続補正（平成１８年改正前特許法第１７条の２第１項第３号の規定に基づく手続補正であり、以下、「本件補正」という。）がなされたものである。
　
２　本件補正についての補正却下の決定
［補正却下の決定の結論］
　本件補正を却下する。
［理由］
（１）補正目的
　本件補正は、特許請求の範囲の請求項１を、補正前の
「依頼主の少なくとも氏名を記載する記載欄と、送り先客の少なくとも氏名を記載する記載欄と、該送り先客記載欄と関連する位置に今回送った商品および該商品の金額を記載する記載欄と、前記送り先客記載欄と関連する位置に過去に送った商品および該商品の金額を記載する履歴記載欄とが表示されていることを特徴とする進物品申込票。」
　から、補正後の
「
紙片の一面に依頼主の
が予め記載されて
依頼主
が予め記載されている送り先客
表示される今回送る商品を記載するための今回商品
表示される少なくとも前回および前々回に送った御中元や御歳暮の商品名
が予め記載されている
とからなる
　本件補正事項に関して、出願当初の明細書には、「前記顧客情報２１ａ、顧客属性情報２１ｂは御歳暮や御中元等のように商品を送る毎にメモリ部２１に記憶され蓄積される。この蓄積情報は次の申込票作成部２２において、図３に示す進物品申込票８のような書式、すなわち、顧客の住所、氏名等の必要事項を記載する記載欄８ａ、送り先客の住所、氏名等の必要事項を多数記載する記載欄８ｂ、該各送り先客記載欄と関連する位置に今回送った商品・金額を記載する記載欄８ｃと、前記送り先客記載欄と関連する位置に過去（例えば、前回の御歳暮、御中元、前々回の御歳暮、御中元時）に送った商品・金額を記載する履歴記載欄８ｄとに区分け可能なように処理して記憶される。
　次に、前記したように作成された本発明の進物品申込票８は、御歳暮、御中元時においてプリンター３によって進物品申込票８としてプリントアウトされ、カタログ等と共に郵送、宅配便によって顧客に送られる。この進物品申込票８を見た顧客は過去に贈った商品、金額が記載されている履歴記載欄を参考（例えば、好評であったか、不好評であったかを思い出し）にし、あるいは、進物品申込票８を送付してきた商店に赴き商品を見ながら店員を介して進物品申込票８に今回送る商品を決定して送り先客に贈るものである。」（段落【００１０】〜【００１１】参照）及び「【発明の効果】本発明は前記したように、御歳暮や御中元時にデパート等の商店から送られる申込票の各送り先客の記載欄に関連して過去に贈った商品および金額を予め表示するようにしたので、贈り主である顧客は前記過去の商品、金額を参考にして今回の商品の選択が行える」（段落【００１５】参照）と記載され、出願当初の図面の図３には、「年度」の項目が、上から下へ「昨年盆」、「昨年暮」、「一昨年盆」、「一昨年暮」の順に記載されている記載欄８ｄが記載されている。
　そうすると、本件補正事項は、出願当初の明細書又は図面に記載した事項の範囲内において、請求項１を、「依頼主記載欄」、「送り先客記載欄」、「今回商品記載欄」及び「履歴記載欄」が記載されているものの場所につき「紙片の一面」であること、「依頼主記載欄」、「送り先客記載欄」及び「履歴記載欄」につき「予め記載されている」こと、及び「過去に送った商品及び該商品の金額」につき「少なくとも前回および前々回に送った御中元や御歳暮の商品名および該商品の金額」であることとそれぞれ限定するものであるから、特許法第１７条の２第４項第２号の特許請求の範囲の滅縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
（２）引用刊行物記載の発明
　原査定の拒絶の理由に引用された特開平１１−５３４３８号公報（以下「引用例」という。）には、次の事項が記載されている。
　ア「【従来の技術】従来より、中元，歳暮等のギフトの取扱いに関して、多くのデパートやスーパー等では、一度申込のあった顧客についてのギフト申込情報をデータベースに登録し、次期ギフトシーズンには、事前に各顧客の前回の届け先住所，氏名等のギフト申込内容を申込書に印刷し、各顧客にそれぞれダイレクトメールで送付するという事が行われている。」（【０００２】）
　イ「図３は、前述のようにパソコン１の登録初期画面の一例を示しており、前記申込データをこの画面上に打ち込む事により、データ登録を行う事ができる。同図に示すように、この登録初期画面には、ギフトを依頼する依頼主の氏名，住所，電話番号等を記入する依頼主記入欄（「ご依頼人」で示す）と、ギフトの届け先の氏名，住所，電話番号等を記入するための複数個の届け先記入欄（「お届け先」で示す）と、各届け先記入欄に隣接して設けられ、商品のコード番号，数量等を記入するための商品記入欄（「ご注文」で示す）．．．を有している。
　図４は、前述のように初めての申込時の登録画面の一例を示している。同図に示すように、前記依頼主記入欄及び各届け先記入欄には、それぞれ該当する氏名，住所，電話番号等のデータが示されている。また、１番目の届け先に対する商品の商品番号は００２であり、価格は２，０００円、品名はビールであり．．．２番目の届け先に対する商品の商品番号は００４であり、価格は４，０００円、品名はカルピスであり．．．３番目の届け先に対する商品の商品番号は００４であり、価格は４，０００円、品名はカルピスであり」（【００１２】〜【００１３】）
　ウ「２回目以降の申込時には、顧客が店頭にＩＣカードを持参すると、受付にてＩＣカードに書き込まれているデータを読み込み、前回の申込内容をパソコン１のディスプレイ画面に、図５のように表示する。図５の２１は今回申込商品欄、２２は前回申込商品欄であり．．．図５の例で具体的に説明すると、この場合、１番目から３番目までの届け先に対する前回の商品が全てビールであり、それぞれの前回申込商品欄２２にはそのように表示され．．．申込票が用紙の形で必要な場合は、ＩＣカードのデータを読み込み、必要に応じてデータの修正を行い、図２に示す如くパソコン１に接続されたプリンタ３により、申込票への印刷を行う。」（【００１６】〜【００１８】）
　エ「ＩＣカードに書き込むデータの内容に関しては、依頼主，届け先の住所，氏名，電話番号は必須とするにしても、申込商品については必要に応じて書き込む事とし、また、１回分のみ書き込んだり、履歴として数回分書き込んでおく事等が考えられる。」（【００１９】）
　オ「本発明によれば、中元，歳暮等のギフトに関して、一度申込を行った顧客が次回からの申込を簡単に行う事ができ」（【００２２】）
　カ　図５から、ご贈答品購入承り票は、依頼主記入欄を有し、該欄には住所、氏名等が表示され、その下に届け先記入欄を３件有し、各届け先記入欄毎に、住所、氏名等が表示され、各届け先記入欄に隣接して商品記入欄を有し、商品記入欄の上段の今回申込み商品欄２１には、商品番号の記載の横の欄に、００２、２，０００の数字、あるいは００４，４０００の数字が表示され、品名の記載の横の欄に、ビールあるいはカルピスと表示され、下段の前回申込商品欄２２には、商品番号の記載の横の欄に、００２、２，０００の数字、品名の記載の横の欄にビールと表示されていることが看取できる。
　
　記載事項イから、図５の数字００２あるいは００４は商品番号、数字２，０００あるいは４０００は商品の金額と認められる。
　中元、歳暮等のギフトに関して（記載オ）、２回目以降の申込時にパソコンのディスプレイ画面に表示される図５の「ご贈答品購入承り票」には、今回申込商品欄２１と同様にギフトの届け先記入欄に隣接する位置に前回申込商品欄２２が１つのみ表示されるが、これは、記載エ中の履歴として１回分のみを書き込んだものに該当する。同記載エ中には、履歴として数回分書き込んでおくことも記載されている、すなわち、「ご贈答品購入承り票」を、少なくとも前回及び前々回の過去の申込商品欄２２を書き込んでおくように構成することも示唆している。
　そして、このように少なくとも前回及び前々回の過去の商品欄２２を書き込んでおくように構成された「ご贈答品購入承り票」は、用紙の形で必要な場合、用紙に印刷される申込票（記載ウ）となることも示唆されている。
　そうすると、パソコンのディスプレイ画面に表示される複数個の欄からなるものを、用紙すなわち紙片に印刷すると、その紙片の一面に表示される複数個の欄からなるものとなることが普通であるから、上記引用例には、以下の発明が記載されているといえる。
「紙片の一面にギフトを依頼する依頼主の少なくとも氏名が記載されている依頼主記入欄と、ギフトの届け先の少なくとも氏名が記載されているギフトの届け先記入欄と、該ギフトの届け先記入欄に隣接する位置に表示される今回送る商品を記載するための今回申込商品欄２１と、前記ギフトの届け先記入欄に隣接する位置に表示される少なくとも前回および前々回に送った中元や歳暮の商品名および該商品の金額が記載されている過去の申込商品欄２２とからなる申込票。」（以下、「引用発明」という。）
（３）対比・判断
　本願補正発明と引用発明とを対比する。
　ア．引用発明の「ギフトを依頼する依頼主」、「依頼主記入欄」、「ギフトの届け先」、「ギフトの届け先記入欄」、「今回申込商品欄２１」、「過去の申込欄２２」及び「申込票」は、それぞれ、本願補正発明の「依頼主」、「依頼主記載欄」、「送り先客」、「送り先客記載欄」、「今回商品記載欄」、「履歴記載欄」及び「進物申込票」に相当している。
　イ．引用発明において、今回申込商品欄２１（今回商品記載欄）と過去の申込商品欄２２（履歴記載欄）を、ギフトの届け先記入欄（送り先客記載欄）に隣接する位置に表示しているのは、それらを関連させるためであることは明らかであるから、今回申込商品欄２１（今回商品記載欄）と過去の申込商品欄２２（履歴記載欄）は、ギフトの届け先記入欄（送り先客記載欄）と関連させて表示されるということができる。
　したがって、両者は、「紙片の一面に依頼主の少なくとも氏名が記載されている依頼主記載欄と、送り先客の少なくとも氏名が記載されている送り先客記載欄と、該送り先客記載欄と関連する位置に表示される今回送る商品を記載するための今回商品記載欄と、前記送り先客記載欄と関連する位置に表示される少なくとも前回および前々回に送った御中元や御歳暮の商品名および該商品の金額が記載されている履歴記載欄とからなる進物品申込票。」である点で一致し、以下の点で相違している。
　相違点：本願補正発明では、（今回商品記載欄以外の）「依頼主記載欄」、「送り先客記載欄」及び「履歴記載欄」が「予め記載されている」としているのに対して、引用発明では、それらが「予め記載されている」か否か定かでない点。
　上記相違点について検討する。
　一般に、複数個の記載欄を備える申込票において、どの記載欄を予め記載しておくかは、申込時にその記載欄の内容が確定している（変更の余地がない）かいないか、必要があるかいないかに応じ決定されるものである。
　引用発明においては、引用発明の申込票はギフトを依頼する依頼主毎に印刷されることが前提であり、ギフトの届け先（送り先客）及び過去の申込欄２２は、今回のギフトを依頼するときすなわち申込時には、それらは過去の出来事の内容であるから確定済みのものである、すなわち、引用発明の依頼主記入欄（依頼主記載欄）、ギフトの届け先記入欄（送り先客記載欄）及び過去の申込欄２２（履歴記載欄）の各内容は既に確定されている（変更の余地がない）から、引用発明において、必要に応じて、相違点のように、依頼主記入欄（依頼主記載欄）、ギフトの届け先記入欄（送り先客記載欄）及び過去の申込欄２２（履歴記載欄）が「予め記載されている」ようにすることは当業者にとって容易である。
　したがって、本願補正発明は、引用発明から当業者が容易に発明をすることができたものであるから、特許法第２９条第２項の規定により特許出願の際独立して特許を受けることができない。
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　本件補正は上記のとおり却下されたので、本願の請求項１に係る発明（以下、「本願発明」という。）は、上記補正前の特許請求の範囲の請求項１に記載された事項により特定されるとおりのものと認める（上記２．（１）参照）。
（１）引用例
　原査定の拒絶の理由に引用された引用例、及び、その記載事項は、上記「２．（２）」に記載したとおりである。
（２）対比・判断
　本願発明は、本願補正発明の特定事項から、「依頼主記載欄」、「送り先客記載欄」、「今回商品記載欄」及び「履歴記載欄」が記載されているものの場所につき「紙片の一面」であること、「依頼主記載欄」、「送り先客記載欄」及び「履歴記載欄」につき「予め記載されている」こと、及び「過去に送った商品及び該商品の金額」につき「少なくとも前回および前々回に送った御中元や御歳暮の商品名および該商品の金額」であることとそれぞれ限定する限定事項を省いたものである。
　そうすると、当該省かれた限定事項には、上記相違点が含まれているから、本願発明と上記引用発明との間に相違点が存在しない。
　なお、進物品申込票の送り先客記載欄と関連する位置に御中元や御歳暮商品の履歴を表示することは、実願昭５９−１９３５５６号（実開昭６１−１０７５７８号）のマイクロフィルム（前回の歳暮または中元の数量・単価を記載する前回分記載欄６）、２０００−１２３０６７号公報（「従来．．．中元や歳暮期に贈答品の購入及び発送申し込みを定期的に依頼してくる顧客に対しては、前回に購入した贈答品とその贈答品の発送先等の贈答品申し込み情報をあらかじめプリンターで印字出力して、贈答品お届け申し込み票（以下親伝という）として中元や歳暮期に顧客に送付する」（【０００２】）、「各お届け先に送った贈答品やその金額等の贈答品情報８」（【０００９】）及び図２の「図面符号８」）、特開平９−６８４１号公報（「御中元、御歳暮等の時期に入る以前に．．．贈り主データベースのデータに基づいて．．．前回申込票の内容をプリントしたカード１を作成して、次回贈答品申込み用として各贈り主宛に郵送」（【００１３】））にあるように周知である。
　
　また、請求人は、審尋に対する平成１８年１１月１０付けの回答書において、補正の用意があるとして以下の補正案を提出している。
　補正案
（請求項１）紙片の一面に依頼主の少なくとも氏名が予め記載されている依頼主記載欄と、送り先客の少なくとも氏名が予め記載されている送り先客記載欄と、該送り先客記載欄と関連する位置に表示される今回送る御中元商品を記載するための今回商品記載欄と、前記送り先客記載欄と関連する位置に表示される少なくとも前回送った御歳暮商品および前々回に送った御中元商品の商品名および該商品の金額が予め記載されている履歴記載欄と、からなることを特徴とする進物品申込票。
（請求項２）紙片の一面に依頼主の少なくとも氏名が予め記載されている依頼主記載欄と、送り先客の少なくとも氏名が予め記載されている送り先客記載欄と、該送り先客記載欄と関連する位置に表示される今回送る御歳暮商品を記載するための今回商品記載欄と、前記送り先客記載欄と関連する位置に表示される少なくとも前回送った御中元商品および前々回に送った御歳暮商品の商品名および該商品の金額が予め記載されている履歴記載欄と、からなることを特徴とする進物品申込票。
　当該補正案について検討すると、当該補正案は、次の二つの理由で採用できない。
理由１
　当該補正案は、今回送る商品、前回送った商品及び前々回送った商品のそれぞれの用途が、御中元、御歳暮及び御中元である（請求項１）との限定及び今回送る商品、前回送った商品及び前々回送った商品のそれぞれの用途が、御歳暮、御中元及び御歳暮である（請求項２）との限定を含んでいるが）出願当初の明細書又は図面の記載は、既に２．（１）で記載したように、常に御歳暮と御中元が交互に繰り返すことを記載しているものでなく（例えば、今回が御中元で前回あるいは前々回も御中元であることも含む）、補正案のように常に御歳暮と御中元が交互に繰り返すことを記載していない。
　したがって、補正案は、新規事項の追加に該当する。
理由２
　仮に、新規事項の追加に該当しないとしても、一般に御歳暮と御中元が交互に繰り返すことは周知のことであるから、引用発明において、今回送る商品、前回送った商品及び前々回送った商品のそれぞれの用途を補正案のようになすことは、当業者が想到容易である。
　
（３）むすび
　以上のとおり、本願発明は、引用発明と同一であるから、特許法第２９条第１項第３号に該当し、特許を受けることができない。
　
４．結び
　以上のとおりであるから、本件補正は却下されなければならず、本願発明が特許を受けることができないから、本願は拒絶を免れない。
　よって、結論のとおり審決する。